(57)【特許請求の範囲】
【請求項１】
固定筒と、ズーミングを行うためのズーム操作環と、該ズーム操作環の操作量に対応して回転するカム環と、該カム環の移動量に対応して光軸方向に移動する移動鏡筒と、該移動鏡筒の光軸方向の移動を案内するよう該固定筒に固定されたキー部材とを有するレンズ鏡筒において、
該ズーム操作環の撮影範囲を越える移動を防止するための第１のストッパ手段と、
該移動鏡筒の所定の範囲を越える光軸方向の移動を防止するための第２のストッパ手段とを有し、
該第２のストッパ手段は前記カム環に設けた凸状部と前記移動鏡筒に設けた凸状のストッパ部とを備え、該凸状部と該凸状のストッパ部とは該第１のストッパ手段が機能した後、さらに該移動鏡筒が所定量移動することによって当接するよう設定したことを特徴とするレンズ鏡筒。
【請求項２】
請求項１記載のレンズ鏡筒を備えたことを特徴とする光学機器。
【発明の詳細な説明】
【０００１】
【発明の属する技術分野】
本発明は、移動鏡筒を精度良く移動停止させるレンズ鏡筒及び該レンズ鏡筒を有する光学機器に関するものである。
【０００２】
【従来の技術】
従来、鏡筒内の移動レンズ群をズーミング等で移動させるには直進溝を形成した固定筒と定位置回転するカム環を使用し、移動鏡筒にはそれら直進筒とカム溝に係合するカムフォロアを固着する技法が一般的であった。しかし、近年のローコスト化、コンパクト化を進めるに当たり、固定筒やカム環をプラスチック材料で形成したり、直進溝を有する固定筒を新たに設定せずに金属板によるキー部材を用いることも多くなっている。
さらに、移動鏡筒とカムフォロアを一体成形しコストダウンを図ったものもある。この場合、直進溝やカム溝は一端を開成し、そこから組み込み可能な構成になっている。
【０００３】
【発明が解決しようとする課題】
ところが、前述従来例のようにプラスチック材料を多用したり、直進させるためにキー部材を使用すると、部材の強度が弱くなるため、変形により移動鏡筒が目的の位置に精度良く停止させることができない場合がある。特に移動量が大きい場合には、その影響が強く発生する。
また、直進溝やカム溝の端を開成することで、移動鏡筒とカムフォロアを一体化させたものではズーム操作時にテレまたはワイド端に勢いよくつき当てると、移動鏡筒はレンズを固着していることにより重量が大きく慣性力でキー部材を変形させ、所定の移動量より多く移動してまうために、直進溝やカム溝からカムフォロアが外れてしまうという問題があった。
【０００４】
本発明は、前述従来例の問題点に鑑み、いかなる場合でも移動鏡筒を所望の位置に安定して精度良く停止させることのできるレンズ鏡筒及びそれを使用した光学機器を提供することを目的とする。
【０００５】
【課題を解決するための手段】
前述の目的を達成するために、本発明はズーム操作環及び移動鏡筒に所定の範囲を超える移動を防止するストッパ手段をそれぞれ設けたものである。
【０００６】
【発明の実施の態様】
請求項１に示す本発明は、固定筒と、ズーミングを行うためのズーム操作環と、該ズーム操作環の操作量に対応して回転するカム環と、該カム環の移動量に対応して光軸方向に移動する移動鏡筒と、該移動鏡筒の光軸方向の移動を案内するよう該固定筒に固定されたキー部材とを有するレンズ鏡筒において、該ズーム操作環の撮影範囲を越える移動を防止するための第１のストッパ手段と、該移動鏡筒の所定の範囲を越える光軸方向の移動を防止するための第２のストッパ手段とを有し、該第２のストッパ手段は前記カム環に設けた凸状部と前記移動鏡筒に設けた凸状のストッパ部とを備え、該凸状部と該凸状のストッパ部とは該第１のストッパ手段が機能した後、さらに該移動鏡筒が所定量移動することによって当接するよう設定したことにより、通常のズーム操作の場合にはズーム操作環のストッパ手段でズーム操作環を停止させるが、ズーム操作環をテレまたはワイド端に勢い良くつき当てた場合には、ズーム操作環のストッパ手段とともに移動鏡筒のストッパ手段が働いて移動鏡筒が所定位置から行き過ぎることを防止する。従って、キー部材など強度の弱い部材を変形させることもなく、移動鏡筒を精度良く停止でき、光学機能を悪化させることもない。請求項２に示す本発明は、請求項１記載のレンズ鏡筒を用いた光学機器にすることにより、レンズ鏡筒の精度の良いコンパクトな光学機器を得ることができる。
【０００７】
【実施例】
以下、本発明の一実施例を図１ないし図５に基づいて説明する。
図１は本実施例のレンズ鏡筒の縦断面図、図２は図１のＡ−Ａ線断面図、図３はその要部断面図である。
図において、１は固定筒で、後端には図示しないカメラ本体と結合するバヨネット１ａが設けられている。２はズーム操作環で、該固定筒１に取り付けたコロ１ｂと係合する周溝２ａを有し、定位置回転可能に保持されている。３はカム環で、その後端を該ズーム操作環２の内周に張り出した突出部２ｂにビスで固着され、該ズーム操作環２と一体で回転する。
【０００８】
４は雄ヘリコイド筒で、その後部外周には３ケ所の突部４ａを有し、該突部４ａは該固定筒１の内周に設けた直進溝１ｃに係合することにより光軸方向に直進移動可能に保持されている。また、該雄ヘリコイド筒４は１群カム４ｂを３ケ所に有しており、該カム環３に固定したコロ３ａと係合しており、その前方にはヘリコイドねじ４ｃを有し、後記する雌ヘリコイド筒５のねじ部５ａとヘリコイド結合している。
該雌ヘリコイド筒５は内周にギヤ５ｂを有し、図示されないモータからのトルクが伝達されて回転させることにより、光軸方向に繰り出し、焦点調節を行うように構成されている。６は第１群鏡筒で、第１群レンズＬ１を保持するとともに、外周から３つの段ビス７によって該雌ヘリコイド筒５に固定されている。
【０００９】
ここで、該第１群鏡筒６と該雌ヘリコイド筒５との固定方法を図３を用いて説明する。
第１群鏡筒６はその外周に雌ヘリコイド筒５との嵌合部６ａを有し、偏心方向の位置決めが行われ、段ビス７の円柱部７ａが雌ヘリコイド筒５の穴５ｂに嵌合することで光軸方向の位置決めを行っている。該段ビス７にはつば部７ｃを有しているが、雌ヘリコイド筒５の座５ｃとの間には隙間（図中Ｂで示す）が設けてある。これは雌ヘリコイド筒５を径方向に付勢しないためである。それはここで使用するレンズはほとんどの部材をプラスチック材料で成形しており、ヘリコイドはビス等によって径方向に付勢すると内側に嵌合する鏡筒が変形し動きが悪くなってしまうからである。
しかし、本レンズは誤って床や地面に落下させた時など、第１群鏡筒６に強い衝撃が加わると、雌ヘリコイド筒５を径方向に広げる力が働き、最悪の場合、装置を破損してしまうことがある。それを防止するために、衝撃力が加わったときには、段ビス７のつば部７ｃと雌ヘリコイド筒５の座５ｃが当接し、許容以上の力が加わらないようにしている。
【００１０】
次に、８は第２群鏡筒で、第２群レンズＬ２を保持しており、さらに絞りユニット９とともに連結鏡筒１０をビスにより一体的に固着している。該絞りユニット９は公知の電磁駆動ユニットを有し、図示しない電気回路及び配線が行われている。また、該第２群鏡筒８の外周にカムフォロア８ａが周方向に３組一体的に形成されており、これらは前記カム環３の内周に設けた凸状のリードカム３ｂに係合しており、さらに、キー溝８ｂを光軸を挟んで対向２ケ所に設け、前記固定筒１にビスで固定した金属板製の直進キー１１が係合している。１２は第３群鏡筒で、第３群レンズＬ３を保持しており、該固定筒１の後部内周部に爪１２ａの弾性力で固定されている。１３はゴムリングで、前記ズーム操作環２の外周を覆うように配置され、ズーム操作性の向上及び前記コロ１ｂが見えないようにしている。
従って、このレンズ鏡筒はズーム操作環２を回転させることで、図４に示すように第１群レンズＬ１及び２群レンズＬ２が移動する。
【００１１】
次に、第２群鏡筒８とカム環３の関係構成を図５の展開図（図１のＣ−Ｃ線で切断した時の展開図）でさらに説明する。カム環３の凸状のカム３ｂには前方に凸状部である折曲部３ｃを有し、第２群鏡筒８が最も前側に移動した時（図示例ではテレ端）に、折曲部（凸状部）３ｃとカムフォロア８ａの横に設けた凸状のストッパ部８ｃが僅かなすき間を介して対向するように設定している。
【００１２】
本レンズ鏡筒のズーム操作によるストッパは図２に示すようにズーム操作環２の突出部２ｂが固定筒１の柱部１ｄに当接することで行われる。すなわちテレ端においては突出部２ｂの端面２ｃが該柱部１ｄに当接し、ワイド端では反対側の端面２ｄが該柱部１ｄの逆の面に当接する。しかし、この時ズーム操作環２を勢いよく回し、テレ端につき当てると第２群鏡筒８が前に出る勢いによって、設計通りの位置に停止できずに直進キー１１を変形させ、前に行き過ぎてしまう。そのため、テレ端につき当てた時だけ、第２群鏡筒８のストッパ部８ｃがカム環３の折曲部３ｃに当接し、直進キー１１が変形し、精度が出なかったり、さらには直進キー１１が第２群鏡筒８の直進溝８ｂから外れることを防止する。
【００１３】
【発明の効果】
以上説明したように、本発明によれば、ズーム操作環をテレまたはワイド端に勢い良くつき当てた場合には、ズーム操作環のストッパ手段とともに移動鏡筒のストッパ手段が働いて移動鏡筒が所定位置から行き過ぎることを防止するので、キー部材など強度の弱い部材を変形させることもなく、移動鏡筒を精度良く停止させることができ、光学機能を悪化させることもない。また、一端を開成したカム溝や直進溝を使用する場合でも移動鏡筒の行き過ぎによってカムフォロアやキー部材がカム溝や直進溝から外れることもなく、その行き過ぎのためにキー部材やカム溝を長くする必要がないので、レンズ鏡筒をコンパクト化できる。また、上述のレンズ鏡筒を光学機器に用いることにより、レンズ鏡筒の精度を上げたコンパクトな光学機器を得ることができる。
【図面の簡単な説明】
【図１】本発明に係る一実施例のレンズ鏡筒の縦断面図である。
【図２】図１のＡ−Ａ線断面図である。
【図３】その第１群鏡筒と雌ヘリコイド筒の関連構造を示す要部断面図である。
【図４】各レンズ群のズーミングによる移動状態図である。
【図５】図１のＣ−Ｃ線で切断した時の展開図である。
【符号の説明】
１・・固定筒、１ｄ・・柱部、２・・ズーム操作環、２ｂ・・突出部、３・・カム環、３ｃ・・折曲部、４・・雄ヘリコイド筒、５・・雌ヘリコイド筒、６・・第１群鏡筒、７・・段ビス、８・・第２群鏡筒、８ｃ・・ストッパ部、１１・・直進キー、１２・・第３群鏡筒。
【図１】
0003689493.tif 000002
【図２】
0003689493.tif 000003
【図３】
0003689493.tif 000004
【図４】
0003689493.tif 000005
【図５】
0003689493.tif 000006